(57)【特許請求の範囲】
【請求項１】
本質的に腐食性である１つ以上の成分を含む腐食性を低減した組成物であって、
（ａ）少なくとも１つの界面活性剤と、
（ｂ）（ｃ）の増粘成分の不在下で前記組成物を腐食させる量で存在する本質的に腐食性である少なくとも１つの成分であって、殺菌成分を含む成分と、
（ｃ）（１）ナトリウムキサンタンガム、アルギン酸ナトリウム、カルボキシメチルセルロースナトリウム、セルロース増粘剤、ケイ酸アルミニウム・マグネシウム、ベントナイト、ジステアルジモニウムヘクトライト粘土、スメクタイト粘土、会合性増粘剤、天然ガム、ポリエチレングリコール、および、エトキシ化アミド類からなる群より選択される少なくとも１つの増粘剤又は（２）配合物として存在する場合自己増粘する２つ以上成分の配合物を含む増粘成分であって、前記増粘成分は、前記組成物が非腐食性であるように、前記組成物に粘性を提供するために存在する、増粘成分と、
（ｄ）１つ以上の水及び少なくとも１つの溶媒と、
（ｅ）選択的に、香料成分と、を含み、
前記組成物は、２〜１２のｐＨを有し、
前記組成物は、１００〜１，２５０，０００センチポアズ（ｃｐｓ）の範囲の粘度を有し、
最初に腐食性である前記組成物は、前記増粘成分を含有しない前記組成物に比べて眼刺激の水準が減少するように改質され、
前記殺菌成分は、前記組成物において少なくとも０．０５重量％の量で存在し、
前記組成物は、前記組成物を非腐食性と見なす、ウシ角膜混濁及び透過性（ＢＣＯＰ）法に基づく区分に分類される程度に眼刺激が低減されており、
前記組成物は、前記ウシ角膜混濁及び透過性（ＢＣＯＰ）を使用した眼刺激に対する米国環境保護庁（ＥＰＡ）分類基準において、体外の点数が７５未満である、組成物。
【請求項２】
前記香料成分が、０．１〜１０重量％の量で存在する、請求項１に記載の組成物。
【請求項３】
前記少なくとも１つの溶媒が、０．５〜１０重量％の量で存在する、請求項１に記載の組成物。
【請求項４】
前記粘度が、１０００〜１２，０００ｃｐｓの範囲である、請求項１に記載の組成物。
【請求項５】
前記組成物が、洗浄組成物である、請求項１に記載の組成物。
【請求項６】
前記洗浄組成物が、濃縮形態で存在して使用時に希釈され、前記濃縮形態のｐＨが、（１）２〜４又は（２）１０〜１２である、請求項５に記載の組成物。
【請求項７】
（ｉ）前記ｐＨが２〜４である場合、前記ｐＨは、酸性成分の活性物質基準で、１２重量％以上の量で存在する酸性成分によって調整され、（ｉｉ）前記ｐＨが１０〜１２である場合、前記ｐＨは、アルカリ成分の活性物質基準で、１重量％以上の量で存在するアルカリ成分によって調整される、請求項６に記載の組成物。
【請求項８】
本質的に腐食性である前記少なくとも１つの成分が、さらに、前記組成物を腐食させる水準に存在する界面活性剤、抗菌剤、及び殺虫剤の中の１つ以上を含む、請求項１に記載の組成物。
【請求項９】
前記配合物が、（ｉ）２つの界面活性剤又は（ｉｉ）界面活性剤及び塩を含む、請求項１に記載の組成物。
【請求項１０】
前記少なくとも１つの界面活性剤が、非イオン性、アニオン性、カチオン性、両性若しくは双性イオン性、又はこれらの混合物である、請求項１に記載の組成物。
【請求項１１】
前記界面活性剤が、エトキシ化アルコール、アルキルフェノールエトキシレート、アルキルフェノールプロポキシレート、ソルビトールプロポキシレート、アルコールエチレン酸化物含有界面活性剤とプロピレン酸化物含有界面活性剤、アルキルポリグルコシド、脂肪アルコールポリグリコールエーテル、グリセロールエトキシレート、直鎖アルキル硫酸塩及びこれらの酸形態、アルコールエーテル硫酸塩及びこれらの酸形態、アルキルベンゼンスルホン酸塩及びこれらの酸形態、アルコール硫酸塩及びこれらの酸形態、アルキルアルコキシル化カルボン酸とアルキルアリールアルコキシル化カルボン酸、及びこれらの酸形態、第四級アミン（ｑｕａｔｅｒｎａｒｙｍｉｎｅ）、ベタイン、スルタイン、及びグリシンの中の１つ以上である、請求項１に記載の組成物。
【請求項１２】
前記増粘成分が、天然ゴム、レオロジー改質ポリマー、剪断減粘ポリマー、セルロース増粘剤、粘土、ケイ酸塩化合物、会合性増粘剤、塩と配合したラウレス硫酸ナトリウム、Ｃ１６〜Ｃ１８アルコール系脂肪アルコールポリグリコールエーテルと配合したエトキシ化ウンデシルアルコール、２５個のＥＯを有するＣ１６〜Ｃ１８脂肪アルコールポリグリコールと配合した７つのＥＯを有するＣ１１オキソアルコールポリグリコールエーテル、エトキシ化アミド、及びポリエチレングリコールの中の１つである、請求項１に記載の組成物。
【請求項１３】
前記界面活性剤が、３〜７０重量％の量で存在する、請求項１に記載の組成物。
【請求項１４】
本質的に腐食性である１つ以上の成分を含む腐食性を低減した濃縮組成物であって、
（ａ）１０〜５０重量％の界面活性剤と、
（ｂ）（ｃ）の増粘成分の不在下で前記組成物を腐食させる量で存在する本質的に腐食性である少なくとも１つの成分であって、殺菌成分を含む成分と、
（ｃ）（１）ナトリウムキサンタンガム、アルギン酸ナトリウム、カルボキシメチルセルロースナトリウム、セルロース増粘剤、ケイ酸アルミニウム・マグネシウム、ベントナイト、ジステアルジモニウムヘクトライト粘土、スメクタイト粘土、会合性増粘剤、天然ガム、ポリエチレングリコール、および、エトキシ化アミド類からなる群より選択される少なくとも１つの増粘剤又は（２）配合物として存在する場合自己増粘する２つ以上成分の配合物を含む増粘成分であって、前記増粘成分は、前記組成物が非腐食性であるように、前記組成物に粘性を提供するために存在する増粘成分と、
（ｄ）１つ以上の水及び少なくとも１つの溶媒と、
（ｅ）選択的に、香料成分と、を含み、
前記組成物は、２〜４又は１０〜１２のｐＨを有し、
前記組成物は、１０００〜１２，０００センチポアズ（ｃｐｓ）の粘度を有し、
最初に腐食性である前記組成物は、前記増粘成分を含有しない前記組成物に比べて眼刺激の水準が減少するように改質され、
前記殺菌成分は、前記組成物において少なくとも０．０５重量％の量で存在し、
前記組成物は、前記組成物を非腐食性と見なす、ウシ角膜混濁及び透過性（ＢＣＯＰ）法に基づく区分に分類される程度に眼刺激が低減されており、
前記組成物は、前記ウシ角膜混濁及び透過性（ＢＣＯＰ）を使用した眼刺激に対する米国環境保護庁（ＥＰＡ）分類基準において、体外の点数が７５未満である、濃縮組成物。
【請求項１５】
前記組成物が、洗浄組成物である、請求項１４に記載の濃縮組成物。
【請求項１６】
（ｉ）前記ｐＨが２〜４である場合、前記ｐＨは、酸性成分の活性物質基準で、１２重量％以上の量で存在する酸性成分によって調整され、（ｉｉ）前記ｐＨが１０〜１２である場合、前記ｐＨは、アルカリ成分の活性物質基準で、１重量％以上の量で存在するアルカリ成分によって調整される、請求項１４に記載の濃縮組成物。
【請求項１７】
本質的に腐食性である前記少なくとも１つの成分が、さらに、前記組成物を腐食させる水準に存在する界面活性剤、抗菌剤、及び殺虫剤の中の１つ以上を含む、請求項１４に記載の濃縮組成物。
【請求項１８】
前記配合物が、（ｉ）２つの界面活性剤又は（ｉｉ）界面活性剤及び塩を含む、請求項１４に記載の濃縮組成物。
【請求項１９】
前記少なくとも１つの界面活性剤が、非イオン性、アニオン性、カチオン性、両性若しくは双性イオン性、又はそれらの混合物である、請求項１４に記載の濃縮組成物。
【請求項２０】
前記界面活性剤が、エトキシ化アルコール、アルキルフェノールエトキシレート、アルキルフェノールプロポキシレート、ソルビトールプロポキシレート、アルコールエチレン酸化物含有界面活性剤とプロピレン酸化物含有界面活性剤、アルキルポリグルコシド、脂肪アルコールポリグリコールエーテル、グリセロールエトキシレート、直鎖アルキル硫酸塩及びこれらの酸形態、アルコールエーテル硫酸塩及びこれらの酸形態、アルキルベンゼンスルホン酸塩及びこれらの酸形態、アルコール硫酸塩及びこれらの酸形態、アルキルアルコキシル化カルボン酸とアルキルアリールアルコキシル化カルボン酸、及びこれらの酸形態、第四級アミン（ｑｕａｔｅｒｎａｒｙｍｉｎｅ）、ベタイン、スルタイン、及びグリシンの中の１つ以上である、請求項１４に記載の濃縮組成物。
【請求項２１】
前記増粘成分が、天然ゴム、レオロジー改質ポリマー、剪断減粘ポリマー、セルロース増粘剤、ケイ酸塩化合物、会合性増粘剤、粘土、塩と配合したラウレス硫酸ナトリウム、Ｃ１６〜Ｃ１８アルコール系脂肪アルコールポリグリコールエーテルと配合したエトキシ化ウンデシルアルコール、２５個のＥＯを有するＣ１６〜Ｃ１８脂肪アルコールポリグリコールと配合した７つのＥＯを有するＣ１１オキソアルコールポリグリコールエーテル、エトキシ化アミド、及びポリエチレングリコールの中の１つである、請求項１４に記載の濃縮組成物。
【請求項２２】
前記粘度が１０００〜８０００ｃｐｓである、請求項１４に記載の濃縮組成物。
【請求項２３】
前記少なくとも１つの溶媒が、２〜８重量％の量で存在する、請求項１４に記載の濃縮組成物。
【請求項２４】
前記香料成分が、５〜８重量％の量で存在する、請求項１４に記載の濃縮組成物。
【請求項２５】
本質的に腐食性である１つ以上の成分を含有する組成物中に、前記成分を除去しなく、前記成分の量を減少させない、腐食性を低減する方法であって、
（ａ）前記組成物を提供するために、（１）少なくとも１つの界面活性剤と、（２）（ｂ）の増粘成分の不在下で前記組成物を腐食させる量で存在する本質的に腐食性である少なくとも１つの成分であって、殺菌成分を含む成分と、を組み合わせる工程と、
（ｂ）（ｉ）ナトリウムキサンタンガム、アルギン酸ナトリウム、カルボキシメチルセルロースナトリウム、セルロース増粘剤、ケイ酸アルミニウム・マグネシウム、ベントナイト、ジステアルジモニウムヘクトライト粘土、スメクタイト粘土、会合性増粘剤、天然ガム、ポリエチレングリコール、および、エトキシ化アミド類からなる群より選択される増粘剤又は（ｉｉ）配合物として存在する場合自己増粘する２つ以上の成分の配合物を含む増粘成分を添加する工程と、を含み、
前記組成物は２〜１２のｐＨを有し、前記組成物は、前記組成物を腐食させないために十分な、１００〜１，２５０，０００センチポアズ（ｃｐｓ）の範囲の粘度で提供され、
前記組成物は、前記殺菌成分を少なくとも０．０５重量％の量で含み、
前記組成物は、前記組成物を非腐食性と見なす、ウシ角膜混濁及び透過性（ＢＣＯＰ）法に基づく区分にされる程度に眼刺激が低減されて提供され、
前記組成物は、前記ウシ角膜混濁及び透過性（ＢＣＯＰ）を使用した眼刺激に対する米国環境保護庁（ＥＰＡ）分類基準において、体外の点数が７５未満である、方法。
【請求項２６】
前記組成物が、洗浄組成物である、請求項２５に記載の方法。
【請求項２７】
前記洗浄組成物が、濃縮形態で存在して使用時に希釈され、前記濃縮形態のｐＨが、２〜４又は１０〜１２である、請求項２６に記載の方法。
【請求項２８】
（ｉ）前記ｐＨが２〜４である場合、前記ｐＨは、酸性成分の活性物質基準で、１２重量％以上の量で存在する酸性成分によって調整され、（ｉｉ）前記ｐＨが１０〜１２である場合、前記ｐＨは、アルカリ成分の活性物質基準で、１重量％以上の量で存在するアルカリ成分によって調整される、請求項２７に記載の方法。
【請求項２９】
本質的に腐食性である前記少なくとも１つの成分が、さらに、前記組成物を腐食させる水準に存在する界面活性剤、抗菌剤、及び殺虫剤の中の１つ以上を含む、請求項２５に記載の方法。
【請求項３０】
前記配合物が、（ｉ）２つの界面活性剤又は（ｉｉ）界面活性剤及び塩を含む、請求項２５に記載の方法。
【発明の詳細な説明】
【関連出願】
【０００１】
本出願は、２０１４年３月２４日に出願された米国仮出願番号第６１／９６９，５９７号の利益を主張する。
【技術分野】
【０００２】
本質的に腐食性であり、組成物を腐食させる水準に存在する成分を含む組成物であって、この組成物を腐食させない粘度を有する組成物、及び非腐食性組成物を提供する方法が記載されている。本質的に腐食性である抗菌性成分及び／又は殺菌性成分を含む洗浄組成物が有益し、組成物の効果は、洗浄組成物の粘度を増加させることによって腐食しないようにする。
【背景技術】
【０００３】
米国では、非抗菌性製品及び非殺菌性製品は、消費者製品安全委員会（ＣＰＳＣ）によって規定されており、ＣＰＳＣには、リスクベース評価の規定がある。しかし、抗菌性製品及び殺菌性製品は、米国環境保護庁（ＥＰＡ）によって規定されており、ＥＰＡは危険ベース分類に従う傾向がある（すなわち、要求試験結果に従っており、潜在的なヒトへの暴露及び／又は製品の使用可能性を考慮しない）。消費者が潜在的に使用する可能性がある抗菌性濃縮製剤及び殺菌性濃縮製剤は、毒性を決定するために試験される必要がある。このような製剤の製品は、特定値を超える場合に、最終使用者（すなわち、消費者）がこの濃縮製剤にさらされる可能性があるため、小児用安全包装及び危険警告表示が必要になる。従って、濃縮物は、希釈された製品とは対照的に、ＥＰＡ規定下で危険分類のために試験される必要がある。濃縮物が、腐食性であり、希釈時に殺菌されることができる場合、このような濃縮物は、小児用安全包装、並びに、毒性を示す危険表示が必要である。特定のディスペンサーの小児用安全包装は、例えば、トリガー式の噴射製品に関することで、複雑で、高価になることがある。
【０００４】
従って、１つ以上の腐食性成分を含有する組成物の毒性を低減できると、組成物を、腐食性から非腐食性に変化させるために有益である。腐食性又は毒性を低減した製品の使用は、消費者によって、個人の安全及び環境の利点の両方で、好ましいと見なされる。
【発明の概要】
【課題を解決するための手段】
【０００５】
本発明は、製品が非腐食性であるように製品の腐食性及び毒性を低減し、包装及び表示の目的で、本質的に腐食性であり、有毒な製品又は有害な製品と見なされる製品が腐食できる水準に存在する１つ以上成分を含む製品、及びこのような製品を提供する方法に関する。従って、製品に特別な包装が必要とされず、製品の種類に適切なより一般的な警告表示が使用できる。本発明によって特に有益であると判明された製品は、洗浄製品である。洗浄製品は、多くの場合、１つ以上の抗菌性成分及び／又は殺菌性成分を含む。例えば、洗浄製品に使用された抗菌性成分及び殺菌性成分は、一般に、本質的に腐食性である。抗菌性成分及び殺菌性成分の量は、濃縮物で増加され、洗浄製品の全体的な腐食性を増加させる。このような濃縮物は、通常、最終消費者に、より穏やかな、より安全な製品を提供するために、使用時に希釈される。濃縮物を増粘することは、多くの場合、組成物を濃くして、したがってより濃縮し、場合によってより腐食させると見なされる。
【０００６】
しかし、予想と反対に、本来に腐食性であり、組成物を腐食させる水準に存在する少なくとも１つの成分を含む洗浄製品の粘度を増加すると、製品の毒性、すなわち、腐食性を低減し、製品の吸光度を、製品を腐食させない程度に減少するのに役立つことを発見した。  
【０００７】
あらかじめ製品を腐食させる材料を含有する非腐食性製品を提供すると、製品の使用時に消費者は安全に対してあまり心配しなく、利用しやすい包装を可能にする。従来に、特定の製品の製剤の腐食性を低減するには、一般に、任意の腐食性成分の量の減少するか、又は任意の腐食性成分を全体置換する。本発明は、本質的に腐食性である成分を保持するだけでなく、最終製品で所望の抗菌特性及び殺菌特性を提供するために必要な製剤においてこのような成分の水準を使用することができる。
【０００８】
洗浄製品で、殺菌剤及び抗菌剤は、一般的に本質的に腐食性である。本発明は、便宜上、腐食性成分として殺菌剤及び抗菌剤に関して、本明細書に記載されているが、本発明の本質を限定しない。しかし、本発明は、本質的に腐食性である洗浄組成物に使用するのに適した他の成分にも適用可能である。このような腐食性成分を保持するだけでなく、このような成分の量の水準を維持すると、洗浄濃縮物を製造するにおける柔軟性、及び組成物に使用することができる送達システム又はディスペンサーの種類における柔軟性を可能にするのに有益である。
【０００９】
本発明は、濃縮洗浄製品の特徴的な塩基性ｐＨ及び酸性ｐＨ値である、実質的に高ｐＨ（例えば、≧１０）及び低ｐＨ（例えば、≦４）を含む約２〜約１２の範囲のｐＨを有する洗浄製剤に適用可能である。一般に、本発明の製品は、約１００〜約１，２５０，０００センチポアズ（ｃｐｓ）、好ましくは、約１０００〜約１２，０００ｃｐｓの粘度が提供される。製品の製剤は、本来に腐食性である少なくとも１つの界面活性剤及び／又は少なくとも１つの成分（通常、洗浄組成物中に（また、本来に界面活性剤であってもよい）殺菌剤又は抗菌剤）を含む。製剤の粘度を増加させる増粘は、所望の粘度を達成するために配合される場合１つ以上の増粘剤であることがある増粘成分を添加するか、又は自己増粘する２つ以上の成分を配合することによって達成することができる。後者のタイプの例は、所望の厚さを達成するために、２つの種類の界面活性剤を共に混合するか、又は界面活性剤を塩（例えば、塩化ナトリウム）と混合することである。特定の製品の製剤によって提供される厚さ又は粘度の程度は、ＥＰＡ規定又は対応する国際試験ガイドライン、例えば、ＯＥＣＤ／ＧＨＳ（経済協力開発機構／化学品の分類および表示に関する世界調和システム）ガイドライン下で、非腐食性の分類内にあるように、製品に存在する腐食性水準及び腐食性の減少程度に従う。例えば、腐食性の高い製品では、一般的にＥＰＡの試験基準の下で眼刺激を軽減するために、より高い粘度を必要とするが、腐食性水準をようやく満たす製剤では、一般的に製品に存在する腐食性を低減するために、粘度をほんのわずか増加することが必要である。重要な特徴は、製品の腐食性を、より穏やかな、非腐食性水準に変化させる能力であって、腐食剤の量を減少させて腐食性の減少程度を変更することはない。厚さの程度は、製品製剤のｐＨにより影響を受けることができるが、製剤のｐＨを超過することが適切である。ｐＨは、特定の増粘成分が、他のｐＨ条件と比較して特定のｐＨ条件下でより良好に動作するので、粘度を増加させるために選択された増粘成分に影響を与えることができる。そのように、一例として、非腐食性として分類される認められたＥＰＡ眼刺激分析における成果（すなわち、腐食による危険表示及び小児用安全包装を必要としない）を達成するために、粘度は、約１００〜約５５０ｃｐｓ（液体のように見える）、約８０００ｃｐｓ以下（ゼリーのように見える）、約１００，０００ｃｐｓ以上（濃いゲル）である。製品、及び製品の腐食性の程度に応じて、異なる粘度は、非腐食性の分析結果を達成するのに有効である。全ての粘度が、すべての製品の種類及び送達システムでの使用に適していることではない。本発明の重要な要素は、腐食を最小限にする、粘度又は厚みを提供し、従って、劇的に製品の形態又は組成物に影響を与えず、被検査眼の刺激を最小限にすることである。ディスペンサー容器の種類はまた、粘度の値を決定することができる。例えば、トリガー式の噴射ディスペンサーが使用される場合、製剤は、その容器の種類によって適切に使用するように、粘度の任意の値を提供することができる。粘度が大きすぎると、製剤は、トリガー式の噴霧器からうまく分配されない。より高い粘度の製剤の他のディスペンサーは、例えば、ポンプ、スクイーズチューブ、又は水溶性パウチであってもよい。このように、製剤における柔軟性は、希望する他の製品特性に基づいて利用可能である。
【００１０】
本発明での使用に適用する洗浄組成物は、本質的に腐食性と見なされ、腐食性を提供する水準に使用されかち本明細書に含まれる１つ以上の成分を含む、排水管洗浄剤、オーブン洗浄剤、トイレ洗浄剤、漂白剤及び酸洗浄剤、自動車用ケア製品及び他の洗浄剤を含む。また、本発明は、本質的に腐食性である他の活性成分を含有する製剤、及び殺虫製剤でも有用であると見なすべきである。上述したように、使用される分配アプリケータの種類の性質は、製品の粘度の程度に影響を与え、そしてその逆であることができる。例えば、特定の粘度は、トリガー式噴射ディスペンサー、スクイーズチューブ、ポンプ、又は水溶性パウチで使用するのに好適である。
【図面の簡単な説明】
【００１１】
【図１】粘度が増加するにつれて眼刺激が減少することを示すアルカリ洗浄製剤に対する試験結果をグラフに示す。
【図２】試験された、特定の洗浄製品の粘度が眼刺激を減衰させることができることを示す試験結果をグラフに示す。
【図３】実施例１〜３に対するＢＣＯＰ分析の結果をグラフに示す。
【図４】実施例５〜９に対するＢＣＯＰ分析の結果をグラフに示す。
【図５】実施例１０〜１１に対するＢＣＯＰ分析の結果をグラフに示す
【発明を実施するための形態】
【００１２】
本来に腐食性であり、通常眼刺激を引き起こす水準に存在する１つ以上の成分を含む製品は、製品に使用された腐食性成分の量を減少させなく、腐食性成分を置換しなく、眼刺激を減少するように改質される。製品の腐食性又は危険有害性の水準は、ＥＰＡ規定下で決定される。ＥＰＡの毒性試験は、製品によって引き起こされる眼刺激の水準を決定することに基づいている。このＥＰＡ基準は、本発明の製品の減少した腐食性を証明するために使用される。使用した試験は、眼刺激性を評価するための経済協力開発機構（ＯＥＣＤ）検証方法であり、最近では、一般的なドレイズ動物試験に代わるものとして、ＥＰＡによって受け入れられているウシ角膜混濁及び透過性（ＢＣＯＰ）である。ＢＣＯＰ試験法は、「ｉ）重篤な眼損傷誘導する化学物質、及びｉｉ）眼刺激又は重篤な眼損傷の分類を必要としない化学物質、を識別するウシ角膜混濁及び透過性試験方法」と題する、２０１３年７月２６日に採択された第４３７号の「化学物質の試験のためのＯＥＣＤガイドライン」に記載されている。ＢＣＯＰ法はまた、ｗｗｗ．ｅｐａ．ｇｏｖ／ｐｅｓｔｉｃｉｄｅｓ／ｓｃｉｅｎｃｅ／ｅｙｅ−ｉｒｒｉｔａｔｉｏｎ．ｈｔｍｌで入手可能な、米国ＥＰＡ農薬プログラム局の「ＥＰＡ農薬製品の眼刺激の可能性の分類のための代替試験フレームワークの利用」と題する、２０１４年５月１３日にＥＰＡの政策文書に記載されている。以下の実施例で使用されたＢＣＯＰ法の材料及び方法は、以下の通りである。
【００１３】
［ＢＣＯＰ材料及び方法］
【００１４】
工程１：角膜切除。受取時、目が検査され、欠陥のない角膜を切除する。
【００１５】
工程２：装着。角膜はチャンバーに装着し、完全最小必須培地（ｃＭＥＭ）で３２±１℃で１時間インキュベートする。
【００１６】
工程３：初期不透明度。ｃＭＥＭを取り出し、再充填し、初期不透明度はオパシトメーターに読み込む。
【００１７】
工程４：試験物品の暴露。７５０μＬの被験物質を３２±１℃で前房に１０分間適用する。
【００１８】
工程５：リンス。角膜は、試験物質を除去するために徹底的にリンスし、最終的な不透明度の読みの前に、２時間インキュベートする。
【００１９】
工程６：フルオレセイン追加。４ｍｇ／ｍｌフルオレセイン溶液の１ｍｌを角膜の上皮側に添加し、３２±１℃で９０分間インキュベートする。
【００２０】
試験によると、増加した粘度が眼刺激を減少させることと相関する本発明の製品は、腐食性の分類において減少を示した。例えば、その供給者によって腐食性であると考えられた界面活性剤は、界面活性剤を含有する製品を提供するために混合物をゲル状製品に増粘すると、刺激の基準値に減少させることができる。しかしながら、他の製品では、製品混合物の粘度をほんのわずか変更して、腐食性から非腐食性に製品の腐食性を減少させることが分かる。従って、液体噴射製品はまた改質されることができる。
【００２１】
本質的に腐食性である少なくとも１つの成分（例えば、殺菌剤、抗菌剤、殺虫剤、など）及び／又は少なくとも１つの界面活性剤を含み、約２〜約１２のｐＨを有する組成物（これは、また界面活性剤であることもある）の粘度は、腐食性の減少、特に小児用安全包装及び危険警告表示を必要としない水準に減少した製品を提供するために特に重要な特徴である。本発明は、一般的に、ｐＨが、約４以下又は約１０以上である、すぐに使える希釈組成物又は濃縮組成物の両方で有用である。製品の製剤は、粘度を高めるために増粘成分を添加することができ、増粘成分は、所望の厚さ又は粘度を達成するために、１つ以上の増粘剤であるか、又は例えば、２つの種類の界面活性剤を共に混合するか、又は界面活性剤を塩（例えば、塩化ナトリウム（ＮａＣｌ））と混合する、２つ以上の成分の配合物に基づく自己増粘配合物であることがある。
【００２２】
本発明で使用するのに適する好ましい組成物は、洗浄組成物、特に濃縮された洗浄組成物である。濃縮組成物の性質に基づいて、組成物が、本質的に腐食性である成分、通常、殺菌剤又は抗菌成分を含む場合、この製品は、腐食性が高くて、ＥＰＡ規定下で小児用安全包装（高価で、使用時複雑することがある）及び／又は特別な危険表示を必要とする製品として分類される。これらの両方は、製品の安全性に関する消費者の認識及びコストに対して、好ましくない。
【００２３】
前記の種類の洗浄組成物では、ｐＨは、一般的に、明らかに酸性（すなわち４以下のｐＨ）であるか、又は高い塩基性（すなわち１０以上のｐＨ）である。濃縮された酸性洗浄剤及び濃縮されたアルカリ性洗浄剤は、一般的に、（活性物質基準で）約１２重量％以上の酸成分及び（活性物質基準で）約１重量％以上のアルカリ性成分を含み、容易に、最終使用のために水で希釈する。
【００２４】
洗浄組成物の粘度は、約１００〜１，２５０，０００センチポアズ（ｃｐｓ）、好ましくは約１０００〜約１２，０００ｃｐｓ、そしてより好ましくは約１０００〜約８０００ｃｐｓの範囲とすることができる。本明細書に記載された粘度は、使用条件、例えば、使用される、スピンドル、ＲＰＭ（毎分回転数）及び温度についてブルックフィールド要件に従ってブルックフィールド粘度計を用いる試験測定に基づいている。ブルックフィールド粘度計を用いる、本明細書中の測定は、（特に明記しない限りは）７７oＦ（２５℃）で１２ｒｐｍで＃１スピンドルとする。特定の洗浄製品の粘度は、主に製剤の腐食程度及び製剤のｐＨを含む様々な要因に基づいている。
【００２５】
酸性製剤について、例えば、（１）好ましくは約６以下のｐＨを有する製剤は、約１００〜約５０，０００ｃｐｓの粘度を有し、（２）好ましくは約５以下のｐＨを有する製剤は、約１２５〜約１００，０００ｃｐｓの粘度を有し、（３）好ましくは約４以下のｐＨを有する製剤は、約１０００〜約１２，０００ｃｐｓの粘度を有する。塩基性製剤について、例えば、（１）好ましくは約８以上のｐＨを有する製剤は、約１００〜約１７５，０００ｃｐｓの粘度を有し、（２）好ましくは、約９以上のｐＨを有する製剤は、約１２５〜約４５０，０００ｃｐｓの粘度を有し、（３）好ましくは、約１０以上のｐＨを有する製剤は、約１０００〜約１２，０００ｃｐｓの粘度を有する。
【００２６】
使用するのに適した界面活性剤は、非イオン性、アニオン性、カチオン性及び両性／双性イオン界面活性剤を含むことができる。カチオン性界面活性剤は、殺菌特性を有することが知られている。
【００２７】
製剤での使用に適した非イオン性界面活性剤の例としては、（分枝状、直鎖状、半分枝状を含む）エトキシ化アルコール、アルキルフェノールエトキシレート、アルキルフェノールプロポキシレート、ソルビトールプロポキシレート、アルコールエチレン酸化物含有界面活性剤とプロピレン酸化物含有界面活性剤、アルキルポリグルコシド（ＡＰＧｓ）、脂肪アルコールポリグリコールエーテル、及びグリセロールエトキシレートを含むが、これらに限定されない。
【００２８】
使用に好ましい非イオン性エトキシ化アルコール界面活性剤は、Ｃ６〜Ｃ２４、より好ましくはＣ１２〜Ｃ１８の炭素鎖の長さ、及び５〜２４のエチレンオキシド（ＥＯ）単位を有する。非イオン性エトキシレートは、直鎖状又は分枝状であるが、直鎖状が好ましい。濃縮された洗浄組成物での使用に適した非イオン性エトキシル化界面活性剤の例は、例えば、サソール社又はハンツマン社によって販売されているアルキルポリエチレングリコールエーテル、例えば、ＳＵＲＦＯＮＩＣ  Ｌ  １２−８を含む。含まれるのに適したその他の非イオン性界面活性剤の例としては、シェルケミカルズ社によって販売されているネオドール９１−６及びネオドール９１−８、クラリアント社によって販売されているゲナポールＵＤ  ０７０又は０８０、及びダウケミカル社によって販売されているテルジトル１５−Ｓ−９である。非イオン性系界面活性剤（プロピレンオキシド）が使用することもできる。このような界面活性剤は、低発泡性界面活性剤として有用である。好ましい非イオン性界面活性剤は、２〜１２のエチレンオキシド単位を有する直鎖状又は分枝状Ｃ８〜Ｃ１８エトキシ化アルコールである。エトキシル化アルコールの炭素鎖の長さは同じでも混合物でもよい。
【００２９】
製剤での使用に適したアニオン性界面活性剤例としては、直鎖状炭素鎖硫酸塩、アルコールエーテル硫酸塩、アルキルベンゼンスルホン酸塩、アルコール硫酸塩、アルキルアルコキシル化カルボン酸及びアルキルアリールアルコキシル化カルボン酸、及びこれらのアニオン性界面活性剤の酸形態、例えば、直鎖アルキルベンゼンスルホン酸（ＬＡＢＳＡ）等を含むが、これらに限定されない。使用に適した直鎖アルキルベンゼンスルホン酸の好ましい例としては、ドデシルベンゼンスルホン酸ナトリウム並びに酸形態、及びステパン社によって販売されているＢＩＯＳＯＦＴ（商品名）下で販売されている直鎖アルキルベンゼンスルホン酸を含む。
【００３０】
製剤での使用に適したカチオン性界面活性剤の例としては、第四級アミンを含むが、これらに限定されなく、第四級アミンは、ｎ−アルキルジメチルベンジルアンモニウムクロライド、ｎ−アルキルジメチルアンモニウムクロライド、ｎ−アルキルジメチルベンジルアンモニウムクロライド（及び）ジアルキルジメチルアンモニウムクロライド、及びジアルキルジメチルアンモニウムクロライドを含むが、これらに限定されない。好適な第四級化合物は、ステパン社によってＢＴＣ  ２１２５（商品名）下で販売されている。
【００３１】
製剤での使用するのに適した双性イオン性／両性界面活性剤の例としては、ベタイン、スルタイン及びグリシンを含むが、これらに限定されない。使用するのに好適なベタインは、クローダ社によって販売されている。抗菌特性を有するさらなる両性界面活性剤は、参照により本明細書に組み込まれる米国特許第４，７６９，１６９号に記載されているように、使用するのに適している。
【００３２】
界面活性剤は、約３〜約７０重量％、好ましくは約３〜約６０重量％の範囲で存在する。濃縮組成物において、界面活性剤の量は、この範囲の下端で少なくとも約１０重量％の量であることが好ましい。
【００３３】
酸の範囲内の製剤で使用することができる殺菌成分の例としては、有機酸及び無機酸であり、これは、乳酸、クエン酸、グリコール酸、リンゴ酸、重硫酸ナトリウム、塩酸、ギ酸、シュウ酸、スルファミン酸、硫酸、メタンスルホン酸、重硫酸ナトリウム、過酸化水素、直鎖アルキルベンゼンスルホン酸、酢酸、リン酸、硫酸、又は溶媒、例えば、イソプロパノールプロピレングリコール、及び第四級アミン、例えば、ｎ−アルキルジメチルベンジルアンモニウムクロライド、ｎ−アルキルジメチルエチルベンジルアンモニウムクロライド、ｎ−アルキルジメチルベンジルアンモニウムクロライド（及び）ジアルキルジメチルアンモニウムクロライド、及びジアルキルジメチルアンモニウムクロライドを含むが、これらに限定されない。
【００３４】
塩基性の範囲内の製剤で使用することができる殺菌成分の例としては、有機アミン、特に第四級アミン、例えば、ｎ−アルキルジメチルベンジルアンモニウムクロライド、ｎ−アルキルジメチルエチルベンジルアンモニウムクロライド、ｎ−アルキルジメチルベンジルアンモニウムクロライド（及び）ジアルキルジメチルアンモニウムクロライド、及びジアルキルジメチルアンモニウムクロライド、漂白剤、例えば、次亜塩素酸ナトリウム、溶媒、例えば、イソプロパノール、プロピレングリコール、及び水酸化物、例えば、水酸化ナトリウム及び水酸化カリウムを含むが、これらに限定されない。
【００３５】
殺菌成分は、一般に、約０．０５〜約５重量％、好ましくは約０．１重量〜約２．５％の量で存在する。濃縮組成物において、殺菌成分は、この範囲の下端で少なくとも１重量％及び約５０重量％以下の量で存在する。
【００３６】
溶媒は選択的であるが、洗浄性を高めるため、洗浄組成物において好ましい。使用に適した溶媒としては、水溶性又は水混和性であり得る。非水性溶媒は、好ましくは、短鎖（例えば、Ｃ８〜Ｃ４）アルキレングリコール又はアルキレングリコールエーテルであるが、他の溶媒も有用である。濃縮された洗浄組成物中に含めるのに適したアルキレングリコール、アルキレングリコールエーテル、及び他の溶媒の例としては、ヘキシレングリコール、ヘキシレングリコールエーテル、ベンジルアルコール、フェニルグリコールエーテル、プロピルブチルエーテル及びヘキシルグリコールエーテルを含む。水溶性溶媒は、水の代わりに又は水と共に存在することがある。水の代わりに又は水と共に用いることのできる水溶性溶媒の例としては、ブチルグリコール、ヘキシレングリコール、ポリプロピレングリコール、並びに水溶性グリコールエーテル、例えばプロピレンブチルエーテル、及びＣ３〜Ｃ５アルコール、例えば、イソプロパノール及びプロピルアルコールである。
【００３７】
溶媒は、一般に０．５〜約１０重量％、好ましくは約２〜約１０重量％の量で存在する。濃縮組成物において、溶媒は、この範囲の下端で少なくとも約２重量％の量で存在する。
【００３８】
製剤での使用に適した増粘性成分の例としては、アニオン性増粘剤、例えば、アクリル酸の水溶性増粘剤を含むレオロジー改質ポリマー、例えば、好ましく架橋されたアクリル酸ホモポリマー、カーボポールＥＺ−２（ルーブリゾール社製）、アクリル酸増粘剤、例えば、ＢＡＳＦ社からのＲＨＥＯＶＩＳ、剪断減粘ポリマー、例えば、ダウケミカルによって販売されているＡＣＵＳＯＬ製品、又は他の架橋ポリアクリレートポリマー、ナトリウムキサンタンガム、アルギン酸ナトリウム、及びカルボキシメチルセルロースナトリウム、非イオン性の増粘剤、例えば、ポリオックス（種々の分子量のポリエチレングリコール）、好ましくダウ社からのＷＳＲ−３０００、セルロース増粘剤、例えば、アクアロン社からのＮＡＴＲＯＳＯＬ  ２５０ＨＨＲ（商品名）の下で販売されているヒドロキシエチルセルロース、及び他のセルロース増粘剤、例えば、ダウケミカル社によって販売されているＭＥＴＨＯＣＥＬ及びＷＡＬＯＣＥＬＬを含み、そして、使用に適した増粘剤の他の例としては、ケイ酸アルミニウム・マグネシウム、ＶＡＮＧＥＬ（バンダービルト製）、任意の粘土、例えば、ミラソル社からのベントナイト、ジステアルジモニウムヘクトライト粘土、スメクタイト粘土、そして、ダウケミカル及びＢＡＳＦ社から様々な会合性増粘剤、天然ガム、例えば、グアーガム、アルギン酸ガム、キサンタンガム（様々な改質）及びカラギーナンガム、アクリルポリマー、ポリエチレングリコール、エトキシ化アミド類、例えば、クローダ社によって販売されているＣＲＹＳＴＡＳＥＮＳＥ  ＨＰ−５、そしてベタイン、例えば、クローダ社によって販売されているＭＯＮＡ  ＡＴ−１２００を含むが、これらに限定されない。これらの増粘剤のいずれも、特定のレオロジー（剪断減粘、剪断増粘、擬似プラスチック）及び安定性のニーズを満たすために組み合わせることができる。
【００３９】
製剤の増粘は、塩（例えば、塩化ナトリウム）を、界面活性剤、例えば、ラウレス硫酸ナトリウム（ＳＬＥＳ）と混合して達成することができるが、これらに限定されない。
【００４０】
製剤を増粘する別の方法は、２つ以上の成分、例えば、２つの界面活性剤の配合物を提供するが、これらに限定されない。この方法の例は、Ｃ１６／Ｃ１８アルコール（例えば、クラリアント社によって販売されているゲナポールＴ２５０）に基づく脂肪アルコールポリグリコールエーテルと、エトキシル化ウンデシルアルコールを配合される工程である。酸の好ましい増粘剤は、７ＥＯを有するＣ１１オキソアルコールポリグリコールエーテル（クラリアント社によって販売されているゲナポールＵＤ  ０７０）と、２５モルのＥＯを有するＣ１６／Ｃ１８脂肪アルコールポリグリコール（クラリアント社によって販売されているゲナポールＴ−２５０  Ｐ）を用いた界面活性剤の配合物を使用する。これらの界面活性剤は、５：１〜１：５の比で用いられる。基本的なシステムについては、５００，０００の平均分子量を有するアクリレートポリマー（例えば、ルーブリゾールによって販売されているカーボポールＥＺ−２）の使用は、約０．５〜約５．０重量％の範囲内の量で使用される。
【００４１】
香料成分は、天然香料又は合成香料の中の１種又はこれらの組み合わせであることがある。香料成分は、一般に約０．１重量％〜約１０重量％の量で存在する。濃縮組成物において、香料成分は、好ましくこの範囲の下端で少なくとも約５重量％の量で存在する。
【００４２】
組成物中に存在する水は、脱イオン水、逆浸透水、水道水等であってもよい。水が、存在する場合、一般に０超過〜約９５重量％、より好ましくは０超過〜約７０重量％、より好ましくは約１０〜約７０重量％の量で存在する。
【００４３】
ｐＨ調整が必要であることがあるが、他の成分、例えば、腐食性成分又は界面活性剤を介してｐＨ調整を行うことができるため、ｐＨを調整するために、ｐＨ調整剤自体は必要としない。このような成分の例としては、モノイソプロパノールアミン（ＭＩＰＡ）及びラウリルアルカンベンゼンスルホン酸ナトリウムを含む。  
【００４４】
以下、本発明の製剤の、具体例並びに比較例が記載されている。ＥＰＡ規定では、現在、ＥＰＡに登録されている対部分に対する試験を必要とする。一般に、攻撃的な化学物質（すなわち、次亜塩素酸ナトリウム）又は腐食性であると見なされている製剤については、試験することなく、製品が腐食性として分類される。ＧＨＳガイドラインでは、具体的に３重量％の腐食性成分が試験によって証明されない限り、製剤は腐食性であると見なされることを意味することを提供する。米国では、ＯＳＨＡは、ＨａｚＣｏｍ  ２０１２年下でのＧＨＳガイドラインを採用しておる。ＯＳＨＡは、ＧＨＳ基準を使用して、安全性データシートについて、製品の分類を規定し、ＥＰＡは、登録された製品について、製品及び製品表示を規定する。従って、１５重量％及び２０重量％の腐食性物質（すなわち、乳酸）を含む、次の製剤は、試験することなく、ＧＨＳ及びＯＳＨＡガイドライン下で腐食性と見なされる。
【実施例】
【００４５】
［実施例１：ＢＣＯＰ試験下での非腐食性］
【００４６】
【表１】
0006633541.tif 000002
実施例１は、２．４のｐＨ及び５５０ｃｐｓの粘度を有する。
【００４７】
［実施例２：ＢＣＯＰ試験下での非腐食性］
【００４８】
【表２】
0006633541.tif 000003
実施例２は、３．３５のｐＨ及び１４３ｃｐｓの粘度を有する。
【００４９】
［実施例３：ＢＣＯＰ試験下での腐食性］
【００５０】
【表３】
0006633541.tif 000004
実施例３は、３．３４のｐＨ及び水と類似した粘度を有する。
【００５１】
［実施例４］
【００５２】
【表４】
0006633541.tif 000005
実施例４は、１２．３のｐＨ及び８０００ｃｐｓの粘度を有する（粘度はブルックフィールドＬＶＴによって、スピンドル４、速度３０ｒｐｍで測定される）。
【００５３】
実施例４と同じ成分の製剤は、水の濃度をそれぞれ調整し、カーボポール（登録商標）ＥＺ−２のより低い又はより高い量を用いて試験した。ＢＣＯＰ分析（Ｎは、サンプル当たり３角膜である）は、溶液の粘度を変更するためにカーボポール（登録商標）ＥＺ−２の増加量で増粘した１％水酸化ナトリウム溶液で行った。０．２５％溶液の粘度は約４ｃｐｓであり、０．５５％溶液の粘度は約１０ｃｐｓであり、０．７５％溶液の粘度は約２００ｃｐｓであり、１．０％溶液の粘度は（前記記載）約８，０００ｃｐｓであり（それぞれブルックフィールドＬＶＴによって、スピンドル１、速度３０ｒｐｍで測定される）、１．２５％溶液の粘度は約１８，７００ｃｐｓである（ブルックフィールドＬＶＴによって、スピンドル４、速度３０ｒｐｍで測定される）。また、カーボポール（登録商標）ＥＺ−２自体は、増粘剤が眼刺激に寄与するがどうかを評価するために試験し、水での１％ＮａＯＨを別々に評価して、腐食性であると判明した。この試験の結果によると、粘度が増加するにつれて眼刺激が減少することを示し、これは図１にグラフに示されている。前述され図１に示した結果についてＢＣＯＰ分析を使用した眼刺激に対するＥＰＡ及びＯＥＣＤ分類基準は次のようである。
【００５４】
【表５】
0006633541.tif 000006
ＥＰＡの四つの眼刺激の種類は、「毒性種類Ｉ：危険、毒性種類ＩＩ：警告、毒性種類ＩＩＩ：注意、毒性種類ＩＶ：注意」である。種類Ｉ、ＩＩ、及びＩＩＩには、注意表示文を規定している。種類ＩＶは、表示文が必要しない。以下、図１に及び実施例２に示されたＢＣＯＰ分析に対する平均データである。
【００５５】
【表６】
0006633541.tif 000007
【００５６】
図２は、洗浄製品の粘度が刺激を減衰させることができることをさらに示す。ＯＥＣＤプロトコルＴＧ４３７は、界面活性剤の材料がＯＥＣＤ分析において１０％ｗ／ｖの希釈で試験されるべきであることを明示する。売業者によって目に対して腐食性てあると分類されているアルコールエトキシレート界面活性剤は、腐食性の閾値を満たしていなかった。３％以上の濃度の製剤で種類Ｉの目刺激が発見された場合に、製剤は、試験されていない限り、ＯＥＣＤのＧＨＳ下で、腐食性であると見なされる。３％超過のアルコールエトキシレートを有する界面活性剤を含む前記の増粘された洗浄製品は、試験が行わない場合、組成物は、腐食性であると見なされる。しかし、ＢＣＯＰ法を用いた試験後、ＢＣＯＰ結果は「分類されない」に対するＯＥＣＤ／ＧＨＳ基準、すなわち、０〜３の体外の点数を満たした。０〜３は、非常に小さい範囲であるが、この結果は第１試験の数ヶ月後、第２試験で再現性があった（体外の点数は、第１試験及び第２試験でそれぞれ１．０及び２．０であった）。
【００５７】
図３に示すように、前記の実施例３は、洗浄剤１として示され、前記の実施例２は、洗浄剤２として示され、前記の実施例１は、洗浄剤３として示される。グラフの線は、ＥＰＡが腐食性に対して定義した閾値を示し、すなわち、７５超過の体外の点数はＥＰＡ種類Ｉ（すなわち、非可逆的な眼の損傷）を見なされ、小児用安全包装を必要とされる。
【００５８】
本発明の組成物の他の実施例は、以下に記載されている。
【００５９】
【表７】
0006633541.tif 000008
１Ｎａ  ＬＡＢＳＡ  ：直鎖アルキルベンゼンスルホン酸ナトリウム
２ＳＵＲＦＯＮＩＣ  Ｌ１２−８：１０〜１２炭素数の直鎖１次アルコールの８モルのエトキシレートである水溶性非イオン性エトキシル化アルコール
【００６０】
【表８】
0006633541.tif 000009
１カーボポールＥＺ−２ポリマー：架橋されたアクリル酸ホモポリマーであるレオロジー改質ポリマー
２Ｎａ  ＬＡＢＳＡ：直鎖アルキルベンゼンスルホン酸ナトリウム
３ＳＵＲＦＯＮＩＣ  Ｌ１２−８：１０〜１２炭素数の直鎖１次アルコールの８モルのエトキシレートである水溶性非イオン性エトキシル化アルコール
【００６１】
【表９】
0006633541.tif 000010
１ポリオックス  ＷＳＲ  ３０００：水溶性ポリエチレンオキシドポリマー
２Ｎａ  ＬＡＢＳＡ：直鎖アルキルベンゼンスルホン酸ナトリウム
３ＳＵＲＦＯＮＩＣ  Ｌ１２−８：１０〜１２炭素数の直鎖１次アルコールの８モルのエトキシレートである水溶性非イオン性エトキシル化アルコール
【００６２】
他の増粘成分を使用した製剤のさらなる実施例は次のようである。
【００６３】
【表１０】
0006633541.tif 000011
１ＮＡＴＲＯＳＯＬ  ２５０ＨＨＲ：ヒドロキシエチルセルロースポリマー
２Ｎａ  ＬＡＢＳＡ：直鎖アルキルベンゼンスルホン酸ナトリウム
３ＳＵＲＦＯＮＩＣ  Ｌ１２−８：１０〜１２炭素数の直鎖１次アルコールの８モルのエトキシレートである水溶性非イオン性エトキシル化アルコール
４ＢＴＣ  ２１２５：Ｃ１２／Ｃ１４アルキルジメチルエチルベンジル塩化アンモニウム及びＣ１２−Ｃ１８アルキルジメチルベンジルアンモニウムクロライド
【００６４】
【表１１】
0006633541.tif 000012
１ＣＲＹＳＴＡＳＥＮＳＥ  ＨＰ５：１９，０００の一般的な分子量を有するレオロジー改質ポリアルキレンオキシ末端ポリアミドは、米国特許第６３９９７１３及び欧州特許第１３５８２４８Ｂに記載されている。
２ＳＵＲＦＯＮＩＣ  Ｌ１２−８：１０〜１２炭素数の直鎖１次アルコールの８モルのエトキシレートである水溶性非イオン性エトキシル化アルコール
【００６５】
本明細書で開示される例示的な実施形態は、網羅的であること又は不必要に本発明の範囲を限定するものではない。例示的な実施形態は、当業者が本発明を実施できるように本発明の原理を説明するために選択され説明された。当業者には明らかなように、種々の変更が前述の説明の範囲内で行うことができる。当業者の能力の範囲内であるこのような変更は、本発明の一部を形成し、添付の特許請求の範囲に包含される。
【図１】
0006633541.tif 000013
【図２】
0006633541.tif 000014
【図３】
0006633541.tif 000015
【図４】
0006633541.tif 000016
【図５】
0006633541.tif 000017